(57)【要約】【課題】スクロール可能画面で利用者が要求する画面が表示されるまでに要する手間を軽減する。【解決手段】表示制御部１８は、所定条件を満足した場合に量特定情報を表示部１６に表示させる。所定条件とは、スクロール可能画面で表示部１６が表示している表示状態画面以外の非表示状態画面のうち表示部１６に表示させる非表示状態画面までのスクロール量を指示する特殊スライド操作が検知部１４で検知されたとの条件を指す。また、表示制御部１８は、特殊スライド操作による指示状態から継続して画面切替条件を満足した場合に、特殊スライド操作により指示されたスクロール量により特定された非表示状態画面を表示部１６に表示させる。【選択図】図１
2015011636.tif 000002
【特許請求の範囲】
【請求項１】
タッチパネルへの通常スライド操作及び特殊スライド操作を検知する検知部と、
スクロール可能画面を表示する表示部と、
前記表示部が前記スクロール可能画面を表示している状態で前記通常スライド操作が検知された場合に、前記通常スライド操作に応じて前記スクロール可能画面をスクロール表示させ、前記スクロール可能画面で前記表示部が表示している表示状態画面以外の非表示状態画面のうち前記表示部に表示させる非表示状態画面までのスクロール量を指示する特殊スライド操作が前記検知部で検知された場合に、前記特殊スライド操作により指示されたスクロール量を特定する量特定情報を前記表示部に表示させ、前記特殊スライド操作による指示状態から継続して画面切替条件を満足した場合に、前記特殊スライド操作により指示されたスクロール量により特定された非表示状態画面を前記表示部に表示させる表示制御部と、
を含む端末装置。
【請求項２】
前記特殊スライド操作は、前記表示部に表示させる非表示状態画面の方向を指示する第１スライド操作を含み、
前記表示制御部は、前記第１スライド操作により指示された方向を特定する方向特定情報及び前記量特定情報を含む位置特定情報を前記表示部に表示させる請求項１に記載の端末装置。
【請求項３】
前記第１スライド操作は、前記表示部に表示させる非表示状態画面の方向を指し示す突端部を有する軌跡を描くスライド操作である請求項２に記載の端末装置。
【請求項４】
前記特殊スライド操作は、前記第１スライド操作に続いて行われる第２スライド操作を含み、
前記特殊スライド操作により指示されるスクロール量は、前記第２スライド操作の開始位置と前記第２スライド操作の現在位置との位置間隔に応じて定まる請求項２又は請求項３に記載の端末装置。
【請求項５】
前記表示制御部は、前記第２スライド操作に伴って、前記位置間隔に応じた前記量特定情報を前記表示部に表示させる請求項４に記載の端末装置。
【請求項６】
前記特殊スライド操作は、前記第１スライド操作により指示された方向を調節する第３スライド操作、及び、前記第２スライド操作により指示されたスクロール量を調節する第４スライド操作の少なくとも一方を更に含む請求項２から請求項５の何れか１項に記載の端末装置。
【請求項７】
前記表示制御部は、前記第１スライド操作により指示された方向が前記第３スライド操作により調節された場合、調節結果に応じた前記方向情報を前記表示部に表示させ、前記第２スライド操作により指示されたスクロール量が前記第４スライド操作により調節された場合、調節結果に応じた前記量特定情報を前記表示部に表示させる請求項６に記載の端末装置。
【請求項８】
前記方向特定情報は、前記特殊スライド操作により指示された位置における非表示状態画面の方向に矢先が向けられた矢を示す矢画像を含み、
前記量特定情報は、前記矢を射るための弓であって、弦の撓り量で前記スクロール量を表現した弓を示す弓画像を含む請求項２から請求項７の何れか１項に記載の端末装置。
【請求項９】
前記表示制御部は、前記指示状態から継続して前記画面切替条件を満足した場合に、前記特殊スライド操作で指示されたスクロール量により特定された非表示状態画面を前記表示部にジャンプスクロール表示させる請求項１から請求項８の何れか１項に記載の端末装置。
【請求項１０】
タッチパネルへの通常スライド操作及び特殊スライド操作を検知し、
スクロール可能画面を表示する表示部が前記スクロール可能画面を表示している状態で前記通常スライド操作が検知された場合に、前記通常スライド操作に応じて前記スクロール可能画面をスクロール表示させ、前記スクロール可能画面で前記表示部が表示している表示状態画面以外の非表示状態画面のうち前記表示部に表示させる非表示状態画面までのスクロール量を指示する特殊スライド操作を検知した場合に、前記特殊スライド操作により指示されたスクロール量を特定する量特定情報を前記表示部に表示させ、前記特殊スライド操作による指示状態から継続して画面切替条件を満足した場合に、前記特殊スライド操作により指示されたスクロール量により特定された非表示状態画面を前記表示部に表示させることを含む画面切替方法。
【請求項１１】
コンピュータに、
タッチパネルへの通常スライド操作及び特殊スライド操作を検知し、
スクロール可能画面を表示する表示部が前記スクロール可能画面を表示している状態で前記通常スライド操作が検知された場合に、前記通常スライド操作に応じて前記スクロール可能画面をスクロール表示させ、前記スクロール可能画面で前記表示部が表示している表示状態画面以外の非表示状態画面のうち前記表示部に表示させる非表示状態画面までのスクロール量を指示する特殊スライド操作を検知した場合に、前記特殊スライド操作により指示されたスクロール量を特定する量特定情報を前記表示部に表示させ、前記特殊スライド操作による指示状態から継続して画面切替条件を満足した場合に、前記特殊スライド操作により指示されたスクロール量により特定された非表示状態画面を前記表示部に表示させることを含む処理を実行させるための画面切替プログラム。
【発明の詳細な説明】
【技術分野】
【０００１】
開示の技術は、端末装置、画面切替方法及び画面切替プログラムに関する。
【背景技術】
【０００２】
スマートフォンやタブレット端末などの端末装置は、タッチパネル・ディスプレイを備えている。タッチパネル・ディスプレイにおいて、ディスプレイにスクロール表示可能な画面（以下、「スクロール可能画面」という）が表示されている状態で、タッチパネルに対してスライド操作が行なわれると、スライド操作に応じて画面がスクロール表示される。
【０００３】
ところで、端末装置の利用者は、スクロール可能画面で、ディスプレイの表示領域に現在表示されていない画面（以下、「非表示状態画面」という）をディスプレイに表示させるためにスライド操作を繰り返し行わなければならない場合がある。非表示状態画面をディスプレイに表示させるまでに要するスライド操作の回数は、ディスプレイの表示領域に現在表示されている画面（以下、「表示状態画面」という）から非表示状態画面が離れているほど増える。
【０００４】
スライド操作の負担を軽減する技術として、表示状態画面内で位置を指定し、指定した位置と基準位置とのずれ量がなくなるようにスクロール可能画面をスクロール表示する技術が知られている。また、スクロール方向を指示するスライド操作に続いて特殊なスライド操作を行うことで、スクロール量を多くしたり、スクロール速度を上げたりする技術が知られている。また、タッチパネルの被接触面に複数の凸状部が形成されており、指が凸状部に引っ掛かりながら移動する特定の操作が検知された場合に、指が接触した凸状部の位置に応じた画面へのジャンプスクロール表示を行う技術が知られている。なお、ジャンプスクロール表示とは、表示状態画面と指定された目的画面との間に存在する画面の表示を抑制しつつ目的画面を表示することを指す。
【先行技術文献】
【特許文献】
【０００５】
【特許文献１】特開平９−６９０３７号公報
【特許文献２】特開２０１２−１４１９７８号公報
【特許文献３】特開２０１０−２５７０３９号公報
【発明の概要】
【発明が解決しようとする課題】
【０００６】
しかしながら、上記技術は何れも、利用者により要求される画面がディスプレイに表示されるまでにタッチパネルに対してスクロール表示又はジャンプスクロール表示のための操作（例えばスライド操作）を何回も行わなければならない場合がある。
【０００７】
開示の技術は、スクロール可能画面で利用者が要求する画面が表示されるまでに要する手間を軽減することが目的である。
【課題を解決するための手段】
【０００８】
開示の技術において、検知部は、タッチパネルへの通常スライド操作及び特殊スライド操作を検知する。表示部は、スクロール可能画面を表示する。表示制御部は、前記表示部が前記スクロール可能画面を表示している状態で前記通常スライド操作が検知された場合に、前記通常スライド操作に応じて前記スクロール可能画面をスクロール表示させる。また、表示制御部は、所定条件を満足した場合に、特殊スライド操作により指示されたスクロール量を特定する量特定情報を前記表示部に表示させる。所定条件とは、スクロール可能画面で表示部が表示している表示状態画面以外の非表示状態画面のうち表示部に表示させる非表示状態画面までのスクロール量を指示する特殊スライド操作が前記検知部で検知されたとの条件を指す。更に、表示制御部は、特殊スライド操作による指示状態から継続して画面切替条件を満足した場合に、特殊スライド操作により指示されたスクロール量により特定された非表示状態画面を表示部に表示させる。
【発明の効果】
【０００９】
開示の技術は、１つの側面として、スクロール可能画面で利用者が要求する画面が表示されるまでに要する手間を軽減することができる、という効果を有する。
【図面の簡単な説明】
【００１０】
【図１】実施形態に係るスマートデバイスの要部機能の一例を示すブロック図である。
【図２】実施形態に係るスマートデバイスの電気系のハードウェア構成の一例を示すブロック図である。
【図３】実施形態に係る画面切替処理の流れの一例を示すフローチャートである。
【図４】図３に示すフローチャートの続き（その１）である。
【図５】図３に示すフローチャートの続き（その２）である。
【図６】図５に示すフローチャートの続きである。
【図７】実施形態に係るスマートデバイスのディスプレイに表示された上下スクロール可能画面の一例を示す画面態様図である。
【図８】実施形態に係るスマートデバイスのディスプレイに表示された上下スクロール可能画面をスクロール表示する場合の操作例を示す画面態様図である。
【図９】実施形態に係るスマートデバイスのディスプレイに上下スクロール可能画面が表示された状態でタッチパネルに対して行われた特殊スライド操作の軌跡の一例を示す画面態様図である。
【図１０】実施形態に係るスマートデバイスのディスプレイに上下スクロール可能画面が表示された状態でタッチパネルに対して行われた特殊スライド操作の軌跡の変形例を示す画面態様図である。
【図１１Ａ】実施形態に係るスマートデバイスのタッチパネルに対して特殊スライド操作が行われることによって表示された弓矢画像を含む上下スクロール可能画面の画面例を示す画面態様図である。
【図１１Ｂ】実施形態に係るスマートデバイスのタッチパネルに対して特殊スライド操作が行われることによって表示された弓矢画像であって矢が引かれた状態の弓矢画像を含む上下スクロール可能画面の画面例を示す画面態様図である。
【図１１Ｃ】実施形態に係るスマートデバイスのタッチパネルに特殊スライド操作が行われることで表示された弓矢画像であって図１１Ｂに示す場合よりもスクロール量を多くした場合の弓矢画像を含む上下スクロール可能画面の画面例を示す画面態様図である。
【図１１Ｄ】図１１Ｃに示す弓矢画像で矢を射る場合の操作例を示す画面態様図である。
【図１１Ｅ】実施形態に係るスマートデバイスのディスプレイに上下スクロール可能画面が表示されている状態で、矢が射られた的を示す的画像が表示領域に表示された場合の場面例を示す画面態様図である。
【図１２Ａ】実施形態に係るスマートデバイスのディスプレイの表示領域に表示されたアドレス帳画面に弓矢画像が含まれる場合の画面例を示す画面態様図である。
【図１２Ｂ】実施形態に係るスマートデバイスのタッチパネルのディスプレイの表示領域に表示されたアドレス帳画面、及び、図１２Ａに示す場合よりもスクロール量を多くした場合の弓矢画像の一例を示す画面態様図である。
【図１２Ｃ】実施形態に係るスマートデバイスのディスプレイにアドレス帳画面が表示されている状態で、矢が射られた的を示す的画像が表示領域に表示された場合の一例を示す画面態様図である。
【図１３Ａ】実施形態に係るスマートデバイスのディスプレイの表示領域に表示されたマップ画面の一例を示す画面態様図である。
【図１３Ｂ】実施形態に係るスマートデバイスのディスプレイの表示領域に表示されたマップ画面に弓矢画像が含まれる場合の画面例を示す画面態様図である。
【図１３Ｃ】実施形態に係るスマートデバイスのディスプレイの表示領域に表示されたマップ画面において弓矢画像を回転させる場合の操作例を示す画面態様図である。
【図１３Ｄ】実施形態に係るスマートデバイスのディスプレイの表示領域に表示されたマップ画面における弓矢画像の回転中の態様の一例を示す画面態様図である。
【図１３Ｅ】実施形態に係るスマートデバイスのディスプレイの表示領域に表示されたマップ画面における弓矢画像の回転後の態様の一例を示す画面態様図である。
【図１３Ｆ】実施形態に係るスマートデバイスのディスプレイの表示領域に表示されたマップ画面において弓矢画像を回転させた後に矢を更に引いた場合の態様の一例を示す画面態様図である。
【図１３Ｇ】実施形態に係るスマートデバイスのディスプレイにマップ画面が表示されている状態で、矢が射られた的を示す的画像が表示領域に表示された場合の一例を示す画面態様図である。
【図１４Ａ】実施形態に係るスマートデバイスのディスプレイの表示領域に表示されたテレビ番組表画面の一例を示す画面態様図である。
【図１４Ｂ】実施形態に係るスマートデバイスのディスプレイの表示領域に表示されたテレビ番組表画面に弓矢画像が含まれる場合の画面例を示す画面態様図である。
【図１４Ｃ】実施形態に係るスマートデバイスのディスプレイの表示領域に表示されたテレビ番組表画面でテレビ局を変更する場合の操作例を示す画面態様図である。
【図１４Ｄ】実施形態に係るスマートデバイスのディスプレイの表示領域に表示されたテレビ番組表画面でテレビ局が変更された場合の画面例を示す画面態様図である。
【図１４Ｅ】実施形態に係るスマートデバイスのタッチパネルのディスプレイの表示領域に表示されたテレビ番組表画面、及び、図１４Ｄに示す場合よりもスクロール量を多くした場合の弓矢画像の一例を示す画面態様図である。
【図１４Ｆ】実施形態に係るスマートデバイスのディスプレイにテレビ番組表画面が表示されている状態で、矢が射られた的を示す的画像が表示領域に表示された場合の画面例を示す画面態様図である。
【図１５】実施形態に係るスマートデバイスのディスプレイに表示された上下スクロール可能画面において第２スライド操作が行われた領域を強調表示した状態の画面例を示す画面態様図である。
【図１６】実施形態に係るスマートデバイスのディスプレイの表示領域にカメラフォルダ内の画像を表示する場合の撮影日付が量特定情報として表示された場合の画面例を示す画面態様図である。
【発明を実施するための形態】
【００１１】
以下、図面を参照して開示の技術の実施形態の一例を詳細に説明する。なお、以下の説明では、開示の技術に係る情報処理装置の一例としてスマートデバイスを例に挙げて説明するが、開示の技術は、これに限定されるものではない。開示の技術は、例えば、パーソナル・コンピュータ、ゲーム機、カーナビゲーション装置、デジタルカメラ又は電子辞書などの種々の端末装置に適用可能である。
【００１２】
一例として図１に示すスマートデバイス１０は、タッチパネル１２を備えている。タッチパネル１２は、指示体（例えば指又はスタイラスペン）による接触を検知し、タッチパネル１２上の指示体による接触位置を示す接触位置情報（本実施形態では一例として二次元座標を含む情報）を出力する。
【００１３】
また、スマートデバイス１０は、検知部１４、表示部１６及び表示制御部１８を備えている。検知部１４は、タッチパネル１２への接触操作を検知する。接触操作としては、タップ操作、スライド操作、ロングプレス操作、ピンチオープン操作（ピンチアウト操作とも言う）及びピンチクローズ操作（ピンチイン操作とも言う）が例示できる。
【００１４】
ここで、スライド操作には、通常スライド操作及び特殊スライド操作が含まれる。通常スライド操作とは、例えばドラッグ操作やフリック操作を指す。ドラッグ操作とは、例えば、タッチパネル１２に対して指示体を接触させることで指示された位置である接触指示位置を所定時間（例えば１００ミリ秒）以上継続して移動させる操作を意味する。また、フリック操作とは、例えば、接触指示位置を移動させる移動操作の移動距離が所定距離（例えば２ミリメートル）以上で、かつ、移動操作を開始してから所定時間未満でタッチパネル１２から指示体を離すことで移動操作を終了する操作を意味する。
【００１５】
特殊スライド操作は、例えば、所定のドラッグ操作（例えば後述の第１〜第５スライド操作を組み合わせたドラッグ操作）である。所定のドラッグ操作とは、タッチパネル１２の指示体による接触位置をタッチパネル１２から指示体を離さずに所定経路（例えば後述の第１〜第５スライド操作の各々について定められた経路）で移動させることにより完遂するドラッグ操作を意味する。
【００１６】
表示部１６は、スクロール可能画面を表示する。表示制御部１８は、表示部１６がスクロール可能画面を表示している状態で通常スライド操作が検知された場合に、通常スライド操作に応じてスクロール可能画面をスクロール表示させる。
【００１７】
また、表示制御部１８は、所定条件を満足した場合に量特定情報を表示部１６に表示させる。ここで、所定条件とは、スクロール可能画面で表示部１６が表示している表示状態画面以外の非表示状態画面のうち表示部１６に表示させる非表示状態画面までのスクロール量を指示する特殊スライド操作が検知部１４で検知されたとの条件を指す。
【００１８】
また、表示制御部１８は、特殊スライド操作による指示状態から継続して画面切替条件を満足した場合に、特殊スライド操作により指示されたスクロール量により特定された非表示状態画面を表示部１６に表示させる。
【００１９】
一例として図２に示すスマートデバイス１０は、ＣＰＵ（中央処理装置：Central Processing Unit）２０、一次記憶部２２及び二次記憶部２４を備えている。一次記憶部２２は、揮発性のメモリ（例えばＲＡＭ（Random Access Memory））である。二次記憶部２４は、不揮発性のメモリ（例えばＨＤＤ（Hard Disk Drive）やフラッシュメモリなど）である。ＣＰＵ２０、一次記憶部２２及び二次記憶部２４は、バス２６を介して相互に接続されている。
【００２０】
二次記憶部２４は、画面切替プログラム３０を記憶している。ＣＰＵ２０は、二次記憶部２４から画面切替プログラム３０を読み出して一次記憶部２２に展開し、画面切替プログラム３０が有するプロセスを順次実行する。画面切替プログラム３０は、検知プロセス３０Ａ及び表示制御プロセス３０Ｂを有する。ＣＰＵ２０は、検知プロセス３０Ａを実行することで、図１に示す検知部１４として動作する。また、ＣＰＵ２０は、表示制御プロセス３０Ｂを実行することで、図１に示す表示制御部１８として動作する。
【００２１】
なお、ここでは画面切替プログラム３０を二次記憶部２４から読み出す場合を例示したが、必ずしも最初から二次記憶部２４に記憶させておく必要はない。例えば、スマートデバイス１０に接続されて使用されるＳＳＤ（Solid State Drive）、ＤＶＤディスク、ＩＣカード、光磁気ディスク、ＣＤ−ＲＯＭなどの任意の「可搬型の記憶媒体」に先ずは画面切替プログラム３０を記憶させておいてもよい。そして、ＣＰＵ２０がこれらの可搬型の記憶媒体から画面切替プログラム３０を取得して実行するようにしてもよい。また、通信回線を介してスマートデバイス１０に接続されるコンピュータ又はサーバ装置等の外部電子計算機の記憶部に画面切替プログラム３０を記憶させておいてもよい。この場合、ＣＰＵ２０は外部電子計算機から画面切替プログラム３０を取得して実行する。
【００２２】
スマートデバイス１０は、タッチパネル・ディスプレイ３２を備えている。タッチパネル・ディスプレイ３２は、タッチパネル１２、及び、図１に示す表示部１６の一例であるディスプレイ（例えば液晶ディスプレイ）３６を備えている。
【００２３】
ディスプレイ３６は、バス２６に接続されており、ＣＰＵ２０の制御下で各種情報を表示する。タッチパネル１２は、透過型のタッチパネルであり、ディスプレイ３６に重ねられている。タッチパネル１２は、検知結果（タッチパネル１２に対する指示体による接触の有無）を示す検知結果情報を所定周期（例えば５ミリ秒）でＣＰＵ２０に出力する。なお、検知結果情報には、タッチパネル１２が指示体による接触を検知した場合、接触位置情報が含まれ、タッチパネル１２が指示体による接触を検知していない場合、接触位置情報が含まれない。
【００２４】
スマートデバイス１０は、外部インタフェース（Ｉ／Ｆ）４２を備えている。外部Ｉ／Ｆ４２は、外部装置（例えばパーソナル・コンピュータやＵＳＢメモリ）が接続され、外部装置とＣＰＵ２０との間の各種情報の送受信を司る。
【００２５】
次に本実施形態の作用として、ＣＰＵ２０がタッチパネル１２から検知結果情報が入力される毎に画面切替プログラム３０を実行することでスマートデバイス１０によって行われる画面切替処理について、図３〜図６に示すフローチャートを参照して説明する。なお、以下では、説明の便宜上、ディスプレイ３６に何らかの画面が表示されている場合について説明する。
【００２６】
先ず、ステップ１００で、検知部１４は、検知結果情報に基づいて、タッチパネル１２が接触操作を検知したか否かを判定する。ステップ１００において、タッチパネル１２が接触操作を検知した場合は、判定が肯定されてステップ１０２へ移行する。ステップ１００において、タッチパネル１２が接触操作を検知していない場合は、判定が否定されてステップ１５０へ移行する。
【００２７】
ステップ１０２で、検知部１４は、検知結果情報から接触位置情報を取得して一次記憶部２２に記憶し、その後、ステップ１０４へ移行する。
【００２８】
ステップ１０４で、検知部１４は、表示状態画面がスクロール可能画面か否かを判定する。スクロール可能画面としては、図７に示す上下スクロール可能画面２００、図１２Ａ〜図１２Ｃに示すアドレス帳画面２０２、図１３Ａ〜図１３Ｇに示すマップ画面３００及び図１４Ａ〜図１４Ｆに示すテレビ番組表画面４００が例示できる。なお、以下、図１２Ａ〜図１２Ｃの図示内容を区別して説明する必要がない場合は図１２Ａ〜図１２Ｃを図１２と称する。また、以下では、図１３Ａ〜図１３Ｇの図示内容を区別して説明する必要がない場合、図１３Ａ〜図１３Ｇを図１３と称する。また、以下では、図１４Ａ〜図１４Ｆの図示内容を区別して説明する必要がない場合、図１４Ａ〜図１４Ｆを図１４と称する。
【００２９】
図７、図１２、図１３及び図１４に示すスクロール可能画面は何れも、ディスプレイ３６における長方形状の表示領域３６Ａに表示され、画面上の位置は、タッチパネル１２に対する指示体による接触位置を規定する二次元座標で特定される。なお、本実施形態では、表示領域３６の長手方向をＹ軸方向とし、表示領域３６の短手方向をＸ軸方向としている。
【００３０】
図７に示す上下スクロール可能画面２００は、Ｙ軸のプラス（＋）方向（＋Ｙ軸方向）及びＹ軸のマイナス（−）方向（−Ｙ軸方向）にスクロール表示され、Ｙ軸方向以外の方向にスクロール表示されないスクロール可能画面である。すなわち、上下スクロール可能画面２００は、タッチパネル１２に対する＋Ｙ軸方向のスライド操作に応じて＋Ｙ軸方向にスクロール表示され、タッチパネル１２に対する−Ｙ軸方向のスライド操作に応じて−Ｙ軸方向にスクロール表示される。例えば、図７に示すように、表示状態画面から見て−Ｙ軸方向に非表示状態画面が存在する場合、タッチパネル１２に対して、一例として図８に示すように指示体５０により＋Ｙ軸方向にスライド操作が行われることで非表示状態画面が表示される。
【００３１】
また、図１２に示すアドレス帳画面２０２は、上下スクロール可能画面２００の具体例であり、Ｙ軸方向に５０音順に宛名が配置されたスクロール可能画面である。
【００３２】
また、図１３に示すマップ画面３００は、タッチパネル１２に対するスライド操作が行われた方向（例えばタッチパネル１２上の二次元座標で規定可能な全方向）にスクロール表示される全方位スクロール方式のスクロール可能画面である。
【００３３】
また、図１４に示すテレビ番組表画面４００は、ＸＹスクロール方式のスクロール可能画面であって、複数のテレビ局のうちの指定された１つのテレビ局のテレビ番組表を表示するスクロール可能画面である。すなわち、テレビ番組表画面４００は、テレビ局毎にテレビ番組名がＹ軸方向に時系列で配置されたスクロール可能画面であり、テレビ番組表がＹ軸方向へのスライド操作に応じてスクロール表示され、テレビ局はＸ軸方向へのフリック操作に応じて切り替えられる。
【００３４】
ステップ１０４において、表示状態画面がスクロール可能画面の場合は、判定が肯定されてステップ１０６へ移行する。ステップ１０４において、表示状態画面がスクロール可能画面でない場合は、判定が否定されて画面切替処理を終了する。
【００３５】
ステップ１０６で、検知部１４は、ステップ１００で検知した接触操作がスライド操作か否かを判定する。ステップ１０６において、ステップ１００で検知した接触操作がスライド操作の場合は、判定が肯定されてステップ１０８へ移行する。ステップ１０６において、ステップ１００で検知した接触操作がスライド操作でない場合は、判定が否定されて画面切替処理を終了する。
【００３６】
ステップ１０８で、表示制御部１８は、スクロール表示を禁止するスクロール禁止フラグがオフか否かを判定する。なお、スクロール禁止フラグは、後述するステップ１２０でオンされ、後述するステップ１５２でオフされる。ステップ１０８において、スクロール禁止フラグがオフの場合は、判定が肯定されてステップ１１０へ移行する。ステップ１０８において、スクロール禁止フラグがオンの場合は、判定が否定されて図５に示すステップ１２４へ移行する。
【００３７】
ステップ１１０では、表示制御部１８は、ステップ１０６で行われたスライド操作がスクロール可能な軸方向へのスライド操作か否かを判定する。スクロール可能な軸方向とは、例えば、上下スクロール可能画面２００及びアドレス帳画面２０２では、Ｙ軸方向を意味し、マップ画面３００では、２次元座標で特定可能な全方向を意味し、テレビ番組表画面４００では、Ｘ軸方向及びＹ軸方向を意味する。
【００３８】
ステップ１１０において、ステップ１０６で行われたスライド操作がスクロール可能な軸方向へのスライド操作の場合は、判定が肯定されてステップ１１２へ移行する。ステップ１１０において、ステップ１０６で行われたスライド操作がスクロール可能な軸方向へのスライド操作でない場合は、判定が否定されて図４に示すステップ１１４へ移行する。
【００３９】
ステップ１１２で、表示制御部１８は、ステップ１０６で行われたスライド操作に応じてスクロール可能画面をディスプレイ３６にスクロール表示させ、その後、ステップ１１４へ移行する。
【００４０】
図４に示すステップ１１４で、表示制御部１８は、ステップ１０６で行われたスライド操作が特殊スライド操作に含まれる第１スライド操作か否かを判定する。ここで、特殊スライド操作とは、スクロール可能画面で非表示状態画面のうちディスプレイ３６に表示させる非表示状態画面（以下、「指定非表示画面」という）までのスクロール量を指示するスライド操作である。特殊スライド操作は、第１〜第５スライド操作を含み、第１〜第５スライド操作は、各々所定の経路を辿るドラッグ操作である。
【００４１】
図９には、タッチパネル１２上の第１スライド操作及び第２スライド操作の軌跡の一例が示されている。第１スライド操作は、指定非表示画面の方向を指し示す突端部を有する軌跡を描くドラッグ操作であり、ここで、突端部とは、例えば、屈曲点を鏃の先端として見立てた簡略的な鏃を表現した形状（例えば鋭角状に屈曲した形状）のことを意味する。図９に示す例では、Ｙ軸方向に対して鋭角を成す方向に進むドラッグ操作と屈曲点から＋Ｙ軸方向へ進むドラッグ操作とを組み合わせた第１スライド操作が例示されている。また、一例として図１０に示すように、直角三角形の輪郭を辿る軌跡の形状（図９に示す例とは異なる突端部）を描くドラッグ操作も第１スライド操作として採用することができる。
【００４２】
第２スライド操作は、第１スライド操作に引き続いて行われるドラッグ操作である。一例として図９に示すように、第２スライド操作は、例えば、第１スライド操作の終了位置（例えば第１スライド操作の開始位置を＋Ｙ軸方向で横切る位置）を通過した位置が開始位置とされ、Ｙ軸方向に直線的に進むドラッグ操作である。表示状態画面から指定非表示画面までの指示スクロール量は、第２スライド操作の開始位置と第２スライド操作の現在位置（例えば終了位置）との位置間隔に応じて定められる。すなわち、位置間隔が長くなるほど指示スクロール量が多くなり、位置間隔が短くなるほど指示スクロール量が少なくなる。
【００４３】
また、第３スライド操作は、第１スライド操作により指示された方向を調節するドラッグ操作である。また、第４スライド操作は、第２スライド操作により指示されたスクロール量を調節するドラッグ操作である。更に、第５スライド操作は、テレビ番組表画面４００でスクロール対象とされるテレビ番組表のテレビ局を変更するドラッグ操作である。
【００４４】
ステップ１１４において、ステップ１０６で行われたスライド操作が第１スライド操作の場合は、判定が肯定されてステップ１１６へ移行する。ステップ１１４において、ステップ１０６で行われたスライド操作が第１スライド操作でない場合は、判定が否定されて画面切替処理を終了する。なお、第１スライド操作か否かは、例えば、第１スライド操作が一例として図９に示す突端部を描く軌跡を辿り、かつ、所定位置に到達したか否かによって判定される。ここで、所定位置とは、例えば、第１スライド操作の開始位置を＋Ｙ軸方向で横切る位置を指す。
【００４５】
ステップ１１６で、表示制御部１８は、第１スライド操作の継続時間が閾値（例えば２秒）未満か否かを判定する。ステップ１１６において、第１スライド操作の継続時間が閾値未満の場合は、判定が肯定されて（ステップ１１４の第１スライド操作が特殊スライド操作に含まれるスライド操作であると判定されて）ステップ１１８へ移行する。ステップ１１６において、第１スライド操作の継続時間が閾値以上の場合は、判定が否定されて（ステップ１１４の第１スライド操作が特殊スライド操作とは無関係のスライド操作であると判定されて）画面切替処理を終了する。
【００４６】
ステップ１１８で、表示制御部１８は、突端部が指し示す方向（指定非表示画面が存在する方向であり、以下では、切替画面方向という）を示す切替画面方向情報を一次記憶部２２に記憶する。
【００４７】
ステップ１２０で、表示制御部１８は、スクロール禁止フラグをオンし、その後、ステップ１２２へ移行する。
【００４８】
ステップ１２２で、表示制御部１８は、一例として図１１Ａに示す弓矢画像５２をディスプレイ３６に表示させ、その後、画面切替処理を終了する。ここで、弓矢画像５２とは、矢画像５２Ａと弓画像５２Ｂとを組み合わせた画像を指す。矢画像５２Ａは、突端部が指し示す方向に矢先を向けた矢を示す矢画像である。弓画像５２Ｂは、矢画像５２Ａにより示される矢を射るための弓を示す弓画像である。
【００４９】
図５に示すステップ１２４で、表示制御部１８は、ステップ１０６で行われたスライド操作が第２又は第４スライド操作か否かを判定する。ステップ１２４において、ステップ１０６で行われたスライド操作が第２又は第４スライド操作の場合は、判定が肯定されてステップ１２６へ移行する。ステップ１２４において、ステップ１０６で行われたスライド操作が第２又は第４スライド操作でない場合は、判定が否定されてステップ１３２へ移行する。
【００５０】
ステップ１２６で、表示制御部１８は、ステップ１０６で行われたスライド操作が第２スライド操作の場合、第２スライド操作の開始位置と第２スライド操作の現在位置との位置間隔に基づいて、表示状態画面から指定非表示画面までの指示スクロール量を算出する。算出した指示スクロール量は一次記憶部２２に記憶（上書き保存）される。また、ステップ１２６で、表示制御部１８は、ステップ１０６で行われたスライド操作が第４スライド操作の場合、特定スライド方向及びスライド量に基づいて、表示状態画面から指定非表示画面までの指示スクロール量を算出する。すなわち、表示制御部１８は、一次記憶部２２に現在記憶されている指示スクロール量を第４スライド操作の特定スライド方向へのスライド量に応じて調節する。特定スライド方向とは、例えば、一次記憶部２２に現在記憶されている切替画面方向情報により示される切替画面方向を＋方向とし、切替画面方向の逆方向を−方向として規定した直線的なスライド方向を指す。
【００５１】
なお、第２スライド操作の開始位置と第２スライド操作の現在位置との位置間隔、並びに、第４スライド操作の特定スライド方向及びスライド量は、例えばステップ１０２で一次記憶部２２に記憶した接触位置情報から特定される。
【００５２】
次のステップ１２８で、表示制御部１８は、一例として図１１Ｂ及び図１１Ｃに示すように、ステップ１２６で算出した指示スクロール量を特定する量特定情報をディスプレイ３６に表示させ、その後、ステップ１３０へ移行する。量特定情報としては、基準スクロール量に対する表示状態画面から指定非表示画面までの指示スクロール量の割合を示した百分率が例示できる。基準スクロール量とは、例えば、スクロール可能画面で表示状態画面から突端部が指し示す方向のスクロール表示終了画面までのスクロール量を指す。
【００５３】
なお、図１１Ｂに示す例では、矢羽根部分に量特定情報として“５２％”が表示された態様が示されており、図１１Ｃに示す例では、矢羽根部分に量特定情報として“８５％”が表示された態様が示されている。“５２％”及び“８５％”の各々は、スクロール可能画面で表示状態画面から突端部が指し示す方向のスクロール表示終了画面までを１００％とした場合の指定非表示画面の存在位置を示す百分率である。
【００５４】
量特定情報は、百分率に限定されるものではなく、他の情報であってもよい。図１２に示すアドレス帳画面２０２では、例えば図１２Ａ及び図１２Ｂに示すように５０音の各行（量特定情報の一例）が順に回転して入れ替わる表示形式で表示される。すなわち、図１２Ａに示す例では“あ行”〜“わ行”のうちの“あ行”が示されており、図１２Ｂに示す例では“ま行”が示されている。また、図１３に示すマップ画面３００では、量特定情報の一例としてキロメートル単位の距離が表示される。すなわち、図１３Ｂ〜図１３Ｅに示す例では「１０ｋｍ」が示されており、図１３Ｆに示す例では「１００ｋｍ」が示されている。また、図１４Ｂ〜図１４Ｅに示すテレビ番組表画面４００では、量特定情報の一例としてテレビ放映の開始時刻が表示される。すなわち、図１４Ｂ〜図１４Ｄに示す例では「１５時」が示されており、図１４Ｅに示す例では「２０時」が示されている。
【００５５】
ステップ１３０で、表示制御部１８は、弓矢画像５２の表示内容が一例として図１１Ａに示す弓矢未使用態様から一例として図１１Ｂ及び図１１Ｃに示す弓矢使用態様に変更されるようにディスプレイ３６を制御し、その後、画面切替処理を終了する。弓矢未使用態様とは、矢が引かれずに弓及び弦が撓っていない態様を指す。弓矢使用態様とは、矢が引かれて弦及び弓が撓っている態様を指す。
【００５６】
なお、図１１Ｂ及び図１１Ｃに示す例では、弓矢使用態様として、矢の引き量、弓の撓り量及び弦の撓り量が異なる態様が示されており、矢の引き量、弓の撓り量及び弦の撓り量（表示内容）が変化する態様はステップ１３０の処理により実現される。図１２Ａ及び図１２Ｂに示すアドレス帳画面２０２、図１３Ｂ〜図１３Ｆに示すマップ画面３００、並びに図１４Ｄ及び図１４Ｅに示すテレビ番組表画面４００の各々に示される弓矢画像５２においても同様のことが言える。
【００５７】
ステップ１３２で、表示制御部１８は、ステップ１０６で行われたスライド操作が指定非表示画面の存在方向へのフリック操作（一例として図１１Ｄに示す指示体５０によるフリック操作）か否か判定する。ステップ１３２において、ステップ１０６で行われたスライド操作が指定非表示画面の存在方向へのフリック操作の場合は、判定が肯定されてステップ１３４へ移行する。ステップ１３２において、ステップ１０６で行われたスライド操作が指定非表示画面の存在方向へのフリック操作でない場合は、判定が否定されてステップ１３６へ移行する。
【００５８】
ステップ１３４で、表示制御部１８は、一例として図１１Ｅに示すように、一次記憶部２２に記憶されている切替画面方向情報及びステップ１２６で算出した指示スクロール量により特定された指定非表示画面をディスプレイ３６に表示させる。また、ステップ１３４で、表示制御部１８は、一例として図１１Ｅ、図１２Ｃ、図１３Ｇ及び図１４Ｆに示すように、表示領域３６Ａで的画像５４をディスプレイ３６に表示させ、その後、画面切替処理を終了する。ここで、的画像５４とは、矢が射られた状態の的を示す画像を指す。
【００５９】
なお、ステップ１３４では、スクロール表示を伴わずに、切替画面方向情報及びステップ１２６で算出した指示スクロール量により特定された指定非表示画面に切り替えられる（ジャンプスクロール表示される）が、開示の技術はこれに限定されるものではない。例えば、スクロール表示を伴って指定非表示画面に切り替えられるようにしてもよい。また、ステップ１３４では、表示領域３６Ａに的画像５４が表示されると、スピーカ（図示省略）から効果音（例えば矢が的を射たときに生じる一般的に知られている音）が出力されるが、開示の技術はこれに限らない。例えば、的画像５４の表示タイミングに合わせてバイブレータを振動させるようにしてもよい。
【００６０】
図６に示すステップ１３６で、表示制御部１８は、表示状態画面がマップ画面３００か否かを判定する。ステップ１３６において、表示状態画面がマップ画面３００の場合は、判定が肯定されてステップ１３８へ移行する。ステップ１３６において、表示状態画面がマップ画面３００でない場合は、判定が否定されてステップ１４４へ移行する。
【００６１】
ステップ１３８で、表示制御部１８は、ステップ１０６で行われたスライド操作が第３スライド操作か否かを判定する。ここで、第３スライド操作とは、例えば、切替画面方向の調節を指示する調節指示方向へのドラッグ操作を指す。調節指示方向とは、例えば、図１３Ｃ及び図１３Ｄに示すように矢画像５２Ａにより示される矢先を回転中心軸として弓矢画像５２を回転させる方向を指す。よって、第３スライド操作とは、例えば、図１３Ｃ及び図１３Ｄに示すように矢画像５２Ａにより示される矢先を回転中心軸として円弧状の軌跡αを描く回転ドラッグ操作を意味する。そして、この回転ドラッグ操作の回転ドラッグ量に応じて、矢画像５２Ａにより示される矢先の方向である切替画面方向が調節される。
【００６２】
ステップ１３８において、ステップ１０６で行われたスライド操作が第３スライド操作の場合は、判定が肯定されてステップ１４０へ移行する。ステップ１３８において、ステップ１０６で行われたスライド操作が第３スライド操作でない場合は、判定が否定されて画面切替処理を終了する。
【００６３】
ステップ１４０で、表示制御部１８は、一次記憶部２２に記憶されている切替画面方向情報を、ステップ１３８で行われたスライド操作に応じて調節された切替画面方向を示す切替画面方向情報に更新し、その後、ステップ１４２へ移行する。
【００６４】
ステップ１４２で、表示制御部１８は、一例として図１３Ｂ〜図１３Ｅに示すように、表示領域３６Ａで弓矢画像５２を、矢先を回転中心軸として回転させることで、弓矢画像５２の表示内容を変更し、その後、画面切替処理を終了する。
【００６５】
ステップ１４４で、表示制御部１８は、表示状態画面がテレビ番組表画面４００か否かを判定する。ステップ１４４において、表示状態画面がテレビ番組表画面４００の場合は、判定が肯定されてステップ１４６へ移行する。ステップ１４４において、表示状態画面がテレビ番組表画面４００でない場合は、判定が否定されて画面切替処理を終了する。
【００６６】
ステップ１４６で、表示制御部１８は、ステップ１０６で行われたスライド操作が第５スライド操作か否かを判定する。ここで、第５スライド操作とは、例えば、スクロール対象切替方向へのドラッグ操作を指す。スクロール対象切替方向とは、例えば、テレビ番組表画面４００でスクロール対象とされるテレビ番組表のテレビ局と隣接するテレビ局のテレビ番組表が存在する方向を指す。例えば、図１４Ｃに示すように矢画像５２Ａに示される矢先が−Ｙ軸方向へ向けられている場合、スクロール対象切替方向は、−Ｘ軸方向（図１４Ｃの破線矢印方向）である。
【００６７】
ステップ１４６において、ステップ１０６で行われたスライド操作が第５スライド操作の場合は、判定が肯定されてステップ１４８へ移行する。ステップ１４６において、ステップ１０６で行われたスライド操作が第５スライド操作でない場合は、判定が否定されて画面切替処理を終了する。
【００６８】
ステップ１４８で、表示制御部１８は、一例として図１４Ｃ及び図１４Ｄに示すように、スクロール対象画面を切り替えるようにディスプレイ３６を制御し、その後、画面切替処理を終了する。ここで、スクロール対象画面とは、テレビ番組表画面４００でスクロール対象とされるテレビ番組表を指す。ステップ１４８の処理により、表示領域３６Ａに現在表示されているスクロール対象画面は、スクロール対象切替方向に隣接するスクロール対象画面に切り替えられる。
【００６９】
図３に戻って、ステップ１５０で、表示制御部１８は、スクロール禁止フラグがオンか否かを判定する。ステップ１５０において、スクロール禁止フラグがオンの場合は、判定が肯定されてステップ１５２へ移行する。ステップ１５０において、スクロール禁止フラグがオフの場合は、判定が否定されて画面切替処理を終了する。
【００７０】
ステップ１５２で、表示制御部１８は、スクロール禁止フラグをオフし、その後、ステップ１５４へ移行する。
【００７１】
ステップ１５４で、表示制御部１８は、弓矢画像５２及び量特定情報の表示を終了（非表示）し、その後、画面切替処理を終了する。
【００７２】
以上説明したように、スマートデバイス１０では、表示制御部１８が、スクロール可能画面が表示されている状態で特殊スライド操作が検知部１４により検知された場合に、量特定情報をディスプレイ３６に表示させる。そして、特殊スライド操作から継続して所定方向へのフリック操作が検知部１４により検知された場合に、特殊スライド操作により指示されたスクロール量により特定された非表示状態画面をディスプレイ３６に表示させる。従って、スマートデバイス１０は、スクロール可能画面でスマートデバイス１０の利用者（以下、「利用者」という）が要求する画面が表示されるまでに要する手間を軽減することができる。
【００７３】
また、スマートデバイス１０は、利用者に対して、表示領域３６Ａに表示された矢画像５２Ａの矢先で指定非表示画面の方向を認識させ、表示領域３６Ａに表示された量特定情報で指定非表示画面までの指示スクロール量を認識させている。従って、利用者は、特殊スライド操作で指示した位置を容易に把握することができる。
【００７４】
また、スマートデバイス１０では、特殊スライド操作が、指定非表示画面の方向を指示する第１スライド操作、及び、第１スライド操作に継続して行われる第２スライド操作を含んでいる。そして、第２スライド操作により指示されるスクロール量が、第２スライド操作の開始位置と第２スライド操作の現在位置との位置間隔に応じて定められる。従って、利用者は、表示状態画面から指定非表示画面が表示されるに至るまでのスクロール量を容易に指示することができる。
【００７５】
また、スマートデバイス１０では、第１スライドとして、指定非表示画面の方向を指し示す突端部を有する軌跡を描くスライド操作を採用している。従って、利用者は、指定非表示画面を容易に指示することができる。
【００７６】
また、スマートデバイス１０では、第２スライド操作に伴って、第２スライド操作の開始位置と第２スライド操作の現在位置との位置間隔に応じた量特定情報がディスプレイ３６に表示される。従って、利用者は、表示状態画面から指定非表示画面が表示されるに至るまでのスクロール量を容易に把握することができる。
【００７７】
また、スマートデバイス１０では、特殊スライド操作が、調節指示方向へのスライド操作である第３スライド操作及び第２スライド操作により指示されたスクロール量を調節するスライド操作である第４スライド操作を含んでいる。従って、利用者は、指定非表示画面が存在する方向の指示及び指定非表示画面までのスクロール量の指示を容易に変更することができる。
【００７８】
また、スマートデバイス１０では、指定非表示画面の方向が第３スライド操作により調節された場合、調節結果に応じて矢画像５２Ａの矢先の向きが変更される。また、スクロール量が第４スライド操作により調節された場合、調節結果に応じて、量特定情報及び矢画像５２Ａにより示される矢の引き量、並びに、弓画像５２Ｂにより示される弓及び弦の撓り量が変更される。従って、利用者は、指定非表示画面の位置を直観的に把握することができる。
【００７９】
また、スマートデバイス１０では、ステップ１３２のフリック操作が行われた場合に、切替画面方向情報及びステップ１２６で算出した指示スクロール量により特定された指定非表示画面にジャンプスクロール表示される。従って、スマートデバイス１０は、指定非表示画面が表示されるまでに行われるスクロール表示に伴う消費電力を抑制することができる。
【００８０】
なお、上記実施形態では、表示領域３６Ａに弓矢画像５２を表示する例を挙げて説明したが、開示の技術はこれに限定されるものではない。例えば、第１スライド操作及び第２スライド操作の軌跡を示す軌跡画像を表示してもよい。また、例えば、図１５に示すように、表示領域３６Ａに弓矢画像５２を表示せずに、第２スライド操作における開始位置と現在位置とを結ぶ線分を特定の表示態様で他の領域と区別可能に強調表示するようにしてもよい。
【００８１】
また、上記実施形態では、アドレス帳画面２０２において量特定情報の一例として５０音の各行を順に回転して入れ替える表示形式で表示する例を挙げて説明したが、開示の技術はこれに限定されるものではない。例えば、カメラで撮影して得た撮影画像を日付毎に格納したカメラフォルダに含まれる画像の撮影日（又は画像をカメラフォルダに格納した日）を、図１６に示すように順に回転して入れ替える表示形式で表示してもよい。
【００８２】
また、上記実施形態では、特殊スライド操作に続いて指定非表示画面の存在方向へのフリック操作（ステップ１３２の処理）を行うことで指定非表示画面を表示領域３６Ａに表示する例を挙げて説明したが、開示の技術はこれに限定されるものではない。例えば、特殊スライド操作に続いて特定の軌跡（例えば渦状の軌跡又は星状の軌跡）を描くスライド操作を行うことで指定非表示画面を表示領域３６Ａに表示するようにしてもよい。また、特殊スライド操作に続いてタッチパネル１２から指示体５０を離し、指示体５０を離してから所定時間（例えば１秒）以内に所定のスライド操作を行うことで指定非表示画面を表示領域３６Ａに表示するようにしてもよい。スマートデバイス１０に搭載されている特定キー（図示省略）を押下することで指定非表示画面を表示領域３６Ａに表示するようにしてもよい。また、特殊スライド操作に続いてタッチパネル１２から指示体５０を離すことで指定非表示画面を表示領域３６Ａに表示するようにしてもよい。このように、特殊スライド操作による指示状態から継続して画面切替条件（予め定められた条件）を満足した場合に指定非表示画面を表示領域３６Ａに表示すればよい。
【００８３】
また、上記実施形態では、特殊スライド操作に第１〜第５スライド操作が含まれる場合を例示したが、開示の技術はこれに限らず、少なくとも第２スライド操作を含む特殊スライド操作であればよい。例えば、第１スライド操作に相当するスライド操作が行われることにより、特殊スライド操作が開始されたことを確定し、第２スライドを行うことでスクロール量を指示するようにしてもよい。この場合、指定非表示画面の方向をスライド操作で指示せずに特殊スライド操作でスクロール量を指示し、ステップ１３２で行われたフリック操作に相当するフリック操作を行う。これにより、非表示状態画面が、予め定められたスクロール方向に、指示したスクロール量で、スクロール表示又はジャンプスクロール表示される。
【００８４】
また、上記実施形態では、矢画像５２Ａの矢先の方向で指定非表示画面の方向を指し示す場合を例示したが、これに限らず、方向を文字情報で表示してもよい。例えば、マップ画面３００において、指定非表示画面が表示状態画面から見て北西にある場合は、量特定情報と共に「北西」との文字を示す文字情報を表示する。
【００８５】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【００８６】
以上の実施形態に関し、更に以下の付記を開示する。
【００８７】
（付記１）
タッチパネルへの通常スライド操作及び特殊スライド操作を検知する検知部と、スクロール可能画面を表示する表示部と、前記表示部が前記スクロール可能画面を表示している状態で前記通常スライド操作が検知された場合に、前記通常スライド操作に応じて前記スクロール可能画面をスクロール表示させ、前記スクロール可能画面で前記表示部が表示している表示状態画面以外の非表示状態画面のうち前記表示部に表示させる非表示状態画面までのスクロール量を指示する特殊スライド操作が前記検知部で検知された場合に、前記特殊スライド操作により指示されたスクロール量を特定する量特定情報を前記表示部に表示させ、前記特殊スライド操作による指示状態から継続して画面切替条件を満足した場合に、前記特殊スライド操作により指示されたスクロール量により特定された非表示状態画面を前記表示部に表示させる表示制御部と、を含む端末装置。
【００８８】
（付記２）
前記特殊スライド操作は、前記表示部に表示させる非表示状態画面の方向を指示する第１スライド操作を含み、前記表示制御部は、前記第１スライド操作により指示された方向を特定する方向特定情報及び前記量特定情報を含む位置特定情報を前記表示部に表示させる付記１に記載の端末装置。
【００８９】
（付記３）
前記第１スライド操作は、前記表示部に表示させる非表示状態画面の方向を指し示す突端部を有する軌跡を描くスライド操作である付記２に記載の端末装置。
【００９０】
（付記４）
前記特殊スライド操作は、前記第１スライド操作に続いて行われる第２スライド操作を含み、前記特殊スライド操作により指示されるスクロール量は、前記第２スライド操作の開始位置と前記第２スライド操作の現在位置との位置間隔に応じて定まる請求項２又は付記３に記載の端末装置。
【００９１】
（付記５）
前記第２スライド操作の開始位置は、前記第１スライド操作の開始位置を横切る位置を通過した位置である付記４に記載の端末装置。
【００９２】
（付記６）
前記表示制御部は、前記第２スライド操作に伴って、前記位置間隔に応じた前記量特定情報を前記表示部に表示させる付記４又は付記５に記載の端末装置。
【００９３】
（付記７）
前記特殊スライド操作は、前記第１スライド操作により指示された方向を調節する第３スライド操作、及び、前記第２スライド操作により指示されたスクロール量を調節する第４スライド操作の少なくとも一方を更に含む付記２から付記６の何れか１つに記載の端末装置。
【００９４】
（付記８）
前記表示制御部は、前記第１スライド操作により指示された方向が前記第３スライド操作により調節された場合、調節結果に応じた前記方向情報を前記表示部に表示させ、前記第２スライド操作により指示されたスクロール量が前記第４スライド操作により調節された場合、調節結果に応じた前記量特定情報を前記表示部に表示させる付記７に記載の端末装置。
【００９５】
（付記９）
前記方向特定情報は、前記特殊スライド操作により指示された位置における非表示状態画面の方向に矢先が向けられた矢を示す矢画像を含み、前記量特定情報は、前記矢を射るための弓であって、弦の撓り量で前記スクロール量を表現した弓を示す弓画像を含む付記２から付記８の何れか１つに記載の端末装置。
【００９６】
（付記１０）
前記表示制御部は、前記指示状態から継続して前記画面切替条件を満足した場合に、前記特殊スライド操作で指示されたスクロール量により特定された非表示状態画面を前記表示部にジャンプスクロール表示させる付記１から付記９の何れか１つに記載の端末装置。
【００９７】
（付記１１）
前記表示制御部は、前記指示状態から継続して前記画面切替条件を満足した場合に、前記特殊スライド操作で指示されたスクロール量により特定された非表示状態画面を前記表示部にジャンプスクロール表示させるように制御すると共に、前記矢が射られた状態の的を示す的画像を前記表示部に表示させる付記９に記載の端末装置。
【００９８】
（付記１２）
前記表示制御部は、前記的画像の表示タイミングに合わせてスピーカから効果音を出力させる付記１１に記載の端末装置。
【００９９】
（付記１３）
前記画面切替条件は、前記スクロール可能画面で、前記表示部に表示させる非表示状態画面が存在する方向へのフリック操作が行われたとの条件である付記１から付記１２の何れか１つに記載の端末装置。
【０１００】
（付記１４）
タッチパネルへの通常スライド操作及び特殊スライド操作を検知し、スクロール可能画面を表示する表示部が前記スクロール可能画面を表示している状態で前記通常スライド操作が検知された場合に、前記通常スライド操作に応じて前記スクロール可能画面をスクロール表示させ、前記スクロール可能画面で前記表示部が表示している表示状態画面以外の非表示状態画面のうち前記表示部に表示させる非表示状態画面までのスクロール量を指示する特殊スライド操作を検知した場合に、前記特殊スライド操作により指示されたスクロール量を特定する量特定情報を前記表示部に表示させ、前記特殊スライド操作による指示状態から継続して画面切替条件を満足した場合に、前記特殊スライド操作により指示されたスクロール量により特定された非表示状態画面を前記表示部に表示させることを含む画面切替方法。
【０１０１】
（付記１５）
前記特殊スライド操作は、前記表示部に表示させる非表示状態画面の方向を指示する第１スライド操作を含み、前記第１スライド操作により指示された方向を特定する方向特定情報及び前記量特定情報を含む位置特定情報を前記表示部に表示させる付記１４に記載の画面切替方法。
【０１０２】
（付記１６）
前記第１スライド操作は、前記表示部に表示させる非表示状態画面の方向を指し示す突端部を有する軌跡を描くスライド操作である付記１５に記載の画面切替方法。
【０１０３】
（付記１７）
前記特殊スライド操作は、前記第１スライド操作に続いて行われる第２スライド操作を含み、前記特殊スライド操作により指示されるスクロール量は、前記第２スライド操作の開始位置と前記第２スライド操作の現在位置との位置間隔に応じて定まる付記１５又は付記１６に記載の画面切替方法。
【０１０４】
（付記１８）
前記第２スライド操作に伴って、前記位置間隔に応じた前記量特定情報を前記表示部に表示させる付記１７に記載の画面切替方法。
【０１０５】
（付記１９）
前記特殊スライド操作は、前記第１スライド操作により指示された方向を調節する第３スライド操作、及び、前記第２スライド操作により指示されたスクロール量を調節する第４スライド操作の少なくとも一方を更に含む付記１５から付記１８の何れか１つに記載の画面切替方法。
【０１０６】
（付記２０）
前記第１スライド操作が指示した方向を前記第３スライド操作が調節した場合、調節結果に応じた前記方向情報を前記表示部に表示させ、前記第２スライド操作が指示したスクロール量を前記第４スライド操作が調節した場合、調節結果に応じた前記量特定情報を前記表示部に表示させる付記１９に記載の画面切替方法。
【０１０７】
（付記２１）
前記方向特定情報は、前記特殊スライド操作により指示された位置における非表示状態画面の方向に矢先が向けられた矢を示す矢画像を含み、前記量特定情報は、前記矢を射るための弓であって、弦の撓り量で前記スクロール量を表現した弓を示す弓画像を含む付記１５から付記２０の何れか１つに記載の画面切替方法。
【０１０８】
（付記２２）
前記指示状態から継続して前記画面切替条件を満足した場合に、前記特殊スライド操作で指示されたスクロール量により特定された非表示状態画面を前記表示部にジャンプスクロール表示させる付記１４から付記２１の何れか１つに記載の画面切替方法。
【０１０９】
（付記２３）
コンピュータに、タッチパネルへの通常スライド操作及び特殊スライド操作を検知し、スクロール可能画面を表示する表示部が前記スクロール可能画面を表示している状態で前記通常スライド操作が検知された場合に、前記通常スライド操作に応じて前記スクロール可能画面をスクロール表示させ、前記スクロール可能画面で前記表示部が表示している表示状態画面以外の非表示状態画面のうち前記表示部に表示させる非表示状態画面までのスクロール量を指示する特殊スライド操作を検知した場合に、前記特殊スライド操作により指示されたスクロール量を特定する量特定情報を前記表示部に表示させ、前記特殊スライド操作による指示状態から継続して画面切替条件を満足した場合に、前記特殊スライド操作により指示されたスクロール量により特定された非表示状態画面を前記表示部に表示させることを含む処理を実行させるための画面切替プログラム。
【符号の説明】
【０１１０】
１０  スマートデバイス
１２  タッチパネル
１４  検知部
１６  表示部
１８  表示制御部
【図１】
2015011636.tif 000003
【図２】
2015011636.tif 000004
【図３】
2015011636.tif 000005
【図４】
2015011636.tif 000006
【図５】
2015011636.tif 000007
【図６】
2015011636.tif 000008
【図８】
2015011636.tif 000009
【図１２Ａ】
2015011636.tif 000010
【図１２Ｂ】
2015011636.tif 000011
【図１２Ｃ】
2015011636.tif 000012
【図１４Ａ】
2015011636.tif 000013
【図１４Ｂ】
2015011636.tif 000014
【図１４Ｃ】
2015011636.tif 000015
【図１４Ｄ】
2015011636.tif 000016
【図１４Ｅ】
2015011636.tif 000017
【図１６】
2015011636.tif 000018
【図７】
2015011636.tif 000019
【図９】
2015011636.tif 000020
【図１０】
2015011636.tif 000021
【図１１Ａ】
2015011636.tif 000022
【図１１Ｂ】
2015011636.tif 000023
【図１１Ｃ】
2015011636.tif 000024
【図１１Ｄ】
2015011636.tif 000025
【図１１Ｅ】
2015011636.tif 000026
【図１３Ａ】
2015011636.tif 000027
【図１３Ｂ】
2015011636.tif 000028
【図１３Ｃ】
2015011636.tif 000029
【図１３Ｄ】
2015011636.tif 000030
【図１３Ｅ】
2015011636.tif 000031
【図１３Ｆ】
2015011636.tif 000032
【図１３Ｇ】
2015011636.tif 000033
【図１４Ｆ】
2015011636.tif 000034
【図１５】
2015011636.tif 000035